(57)【要約】      （修正有）【課題】ユーザ装置が自身のキャリアアグリゲーションに関する能力を基地局に効率的に通知する技術を提供する。【解決手段】キャリアアグリゲーションで使用可能なバンドの組み合わせを示すバンド組み合わせ情報と上り制御チャネルを設定するセカンダリセルを設定可能か否かを示す第一の能力情報と、第一の複信方式のバンドを用いてプライマリセルを設定可能か否か及び第一の複信方式のバンドと第二の複信方式のバンドとを含む所定のグループにおいて第一の複信方式のバンドを用いて上り制御チャネルを設定するセカンダリセルを設定可能か否かを示す第二の能力情報と、第二の複信方式のバンドを用いてプライマリセルを設定可能か否か及び第一の複信方式のバンドと第二の複信方式のバンドとを含む所定のグループにおいて第二の複信方式のバンドを用いて上り制御チャネルを設定するセカンダリセルを設定可能か否かを示す第三の能力情報とを基地局に送信する。【選択図】図７
2017092827.tif 000002
【特許請求の範囲】
【請求項１】
第一の複信方式のバンドと第二の複信方式のバンドを用いてキャリアアグリゲーションを行う無線通信システムにおけるユーザ装置であって、
当該ユーザ装置における前記キャリアアグリゲーションで使用可能なバンドの組み合わせを示すバンド組み合わせ情報と、
当該ユーザ装置が、前記キャリアアグリゲーションにおいて、上り制御チャネルを設定するセカンダリセルを設定可能か否かを示す第一の能力情報と、
当該ユーザ装置が、前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す第二の能力情報と、
当該ユーザ装置が、前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す第三の能力情報と、を生成する生成部と、
前記バンド組み合わせ情報と前記第一の能力情報と前記第二の能力情報と前記第三の能力情報とを基地局に送信する送信部と、
を有するユーザ装置。
【請求項２】
前記基地局から、前記基地局が対応する複数のバンドを示す情報を取得する取得部、を有し、
前記生成部は、
前記基地局が対応する複数のバンド内で、当該ユーザ装置が前記キャリアアグリゲーションにおいて使用可能な部分的なバンドの組み合わせを示すバンド組み合わせ情報と、
前記部分的なバンド組み合わせの中で前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す前記第二の能力情報と、
前記部分的なバンド組み合わせの中で前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す前記第三の能力情報と、を生成する、
請求項１に記載のユーザ装置。
【請求項３】
前記基地局から、当該ユーザ装置が前記キャリアアグリゲーションにおいて使用可能なバンド組み合わせのうち、前記第一の複信方式のバンドを用いてプライマリセルを設定可能であり、かつ、前記第一の複信方式と前記第二の複信方式を含む所定のグループにおいて前記第一の複信方式のバンドを用いて上り制御チャネルを設定するセカンダリセルを設定可能な部分的なバンド組み合わせのみを通知することを指示する情報を取得する取得部、を有し、
前記生成部は、当該ユーザ装置が前記キャリアアグリゲーションにおいて使用可能なバンド組み合わせのうち、前記第一の複信方式のバンドを用いてプライマリセルを設定可能であり、かつ、前記第一の複信方式と前記第二の複信方式を含む所定のグループにおいて前記第一の複信方式のバンドを用いて上り制御チャネルを設定するセカンダリセルを設定可能な部分的なバンド組み合わせのみを示す前記バンド組み合わせ情報を生成する、
請求項１に記載のユーザ装置。
【請求項４】
前記生成部は、前記第二の能力情報と、前記第三の能力情報とを、当該ユーザ装置における前記キャリアアグリゲーションで使用可能なバンドの組み合わせ毎に生成する、
請求項１に記載のユーザ装置。
【請求項５】
前記生成部は、当該ユーザ装置が前記キャリアアグリゲーションを行う際にセカンダリセルに上り制御チャネルを設定する必要があることを前記基地局に通知する場合、前記第二の能力情報及び前記第三の能力情報に、設定不可能であることを示す情報を設定する、請求項１乃至４のいずれか一項に記載のユーザ装置。
【請求項６】
前記第一の複信方式はＴＤＤであり、前記第二の複信方式はＦＤＤである、又は、前記第一の複信方式はＦＤＤであり、前記第二の複信方式はＴＤＤである、
請求項１乃至５のいずれか一項に記載のユーザ装置。
【請求項７】
第一の複信方式のバンドと第二の複信方式のバンドを用いてキャリアアグリゲーションを行う無線通信システムにおける基地局であって、
ユーザ装置から、前記ユーザ装置が前記キャリアアグリゲーションで使用可能なバンドの組み合わせを示すバンド組み合わせ情報と、
前記ユーザ装置が、前記キャリアアグリゲーションにおいて、上り制御チャネルを設定するセカンダリセルを設定可能か否かを示す第一の能力情報と、
前記ユーザ装置が、前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す第二の能力情報と、
前記ユーザ装置が、前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す第三の能力情報と、を受信する受信部と、
前記バンド組み合わせ情報と、前記第一の能力情報と、前記第二の能力情報と、前記第三の能力情報とに基づいて、前記ユーザ装置に対して前記キャリアアグリゲーションの設定を行う設定部と、
を有する基地局。
【請求項８】
第一の複信方式のバンドと第二の複信方式のバンドを用いてキャリアアグリゲーションを行う無線通信システムにおけるユーザ装置が実行する通知方法であって、
当該ユーザ装置における前記キャリアアグリゲーションで使用可能なバンドの組み合わせを示すバンド組み合わせ情報と、
当該ユーザ装置が、前記キャリアアグリゲーションにおいて、上り制御チャネルを設定するセカンダリセルを設定可能か否かを示す第一の能力情報と、
当該ユーザ装置が、前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す第二の能力情報と、
当該ユーザ装置が、前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す第三の能力情報と、を生成するステップと、
前記バンド組み合わせ情報と前記第一の能力情報と前記第二の能力情報と前記第三の能力情報とを基地局に送信するステップと、
を有する通知方法。
【請求項９】
第一の複信方式のバンドと第二の複信方式のバンドを用いてキャリアアグリゲーションを行う無線通信システムにおける基地局が実行する設定方法であって、
ユーザ装置から、前記ユーザ装置が前記キャリアアグリゲーションで使用可能なバンドの組み合わせを示すバンド組み合わせ情報と、
前記ユーザ装置が、前記キャリアアグリゲーションにおいて、上り制御チャネルを設定するセカンダリセルを設定可能か否かを示す第一の能力情報と、
前記ユーザ装置が、前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す第二の能力情報と、
前記ユーザ装置が、前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す第三の能力情報と、を受信するステップと、
前記バンド組み合わせ情報と、前記第一の能力情報と、前記第二の能力情報と、前記第三の能力情報とに基づいて、前記ユーザ装置に対して前記キャリアアグリゲーションの設定を行うステップと、
を有する設定方法。
【発明の詳細な説明】
【技術分野】
【０００１】
本発明は、ユーザ装置、基地局、通知方法及び設定方法に関する。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートするＬＴＥ方式におけるセルと同様のセルである。
【０００４】
ＳＣｅｌｌは、ＰＣｅｌｌに追加されてユーザ装置ＵＥに対して設定されるセルである。Ｓｃｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、ＭＡＣ（Ｍｅｄｉａ  Ａｃｃｅｓｓ  Ｃｏｎｔｒｏｌ）レイヤにおいてアクティブ化することで初めて通信可能（スケジューリング可能）となるセルである。なお、ＰＣｅｌｌに対応するＣＣをＰＣＣ（Ｐｒｉｍａｒｙ  Ｃｏｍｐｏｎｅｎｔ  Ｃａｒｒｉｅｒ）と呼び、ＳＣｅｌｌに対応するＣＣをＳＣＣ（Ｓｅｃｏｎｄａｒｙ  Ｃｏｍｐｏｎｅｎｔ  Ｃａｒｒｉｅｒ）と呼ぶ。
【０００５】
また、ＬＴＥでは、周波数分割複信（Ｆｒｅｑｕｅｎｃｙ  Ｄｉｖｉｓｉｏｎ  Ｄｕｐｌｅｘ：ＦＤＤ）方式と時分割複信（Ｔｉｍｅ  Ｄｉｖｉｓｉｏｎ  Ｄｕｐｌｅｘ：ＴＤＤ）方式との２つの複信方式（Ｄｕｐｌｅｘモード）が規定されている。ＦＤＤ方式では、ＵＬ（Ｕｐｌｉｎｋ）通信とＤＬ（Ｄｏｗｎｌｉｎｋ）通信とが互いに異なる周波数帯で実行され、ＴＤＤ方式では、ＵＬ通信とＤＬ通信とが同一の周波数帯を利用し、ＵＬ通信とＤＬ通信とが時間で分離される。また、それぞれのＤｕｐｌｅｘモード間は、異周波（Ｉｎｔｅｒ−ｆｒｅｑｕｅｎｃｙ）ハンドオーバで切り替えることができる。
【０００６】
なお、ＬＴＥでは、ｆｒａｍｅ  ｓｔｒｕｃｔｕｒｅ  ｔｙｐｅ  １（フレーム構造タイプ１）を有するキャリアがＦＤＤのキャリアに相当し、ｆｒａｍｅ  ｓｔｒｕｃｔｕｒｅ  ｔｙｐｅ  ２（フレーム構造タイプ２）を有するキャリアがＴＤＤのキャリアに相当することから、フレーム構造タイプにより複信方式を識別することが可能である。
【０００７】
また、ＦＤＤ方式では、全てのサブフレームをＵＬ通信に利用可能であるため、図１（ａ）に示すように、ＤＬデータに対するＡＣＫ／ＮＡＣＫが送信されるタイミングは４ｍｓ後に固定されている。一方、ＴＤＤ方式では、ＵＬ通信に利用可能なサブフレームが限定されているため、図１（ｂ）に示すように、ＤＬデータが送信されるサブフレームごとに異なるタイミングでＡＣＫ／ＮＡＣＫが送信される。
【先行技術文献】
【非特許文献】
【０００８】
【非特許文献１】３ＧＰＰ  ＴＳ３６．３３１  Ｖ１２．７．０  （２０１５−０９）
【非特許文献２】３ＧＰＰ  ＴＳ３６．１０１  Ｖ１３．１．０  （２０１５−１０）
【発明の概要】
【発明が解決しようとする課題】
【０００９】
上記背景技術で説明したＣＡ及びＤｕｐｌｅｘモードに関し、ＬＴＥのＲｅｌ−１０、Ｒｅｌ−１１ではＣＡを構成する複数ＣＣは同一Ｄｕｐｌｅｘモードに限られていた。すなわち、例えば、マクロセルとスモールセルを形成するＣＡの一形態において、複数のＣＣ（ＰＣｅｌｌ、ＳＣｅｌｌ）がいずれもＦＤＤであるか、複数のＣＣがいずれもＴＤＤである形態に限られていた。
【００１０】
一方、Ｒｅｌ−１２においてはＣＡを拡張し、異なるＤｕｐｌｅｘモードのＣＣを用いてＣＡを行うＴＤＤ−ＦＤＤ  ＣＡが規定された。
【００１１】
ＴＤＤ−ＦＤＤ  ＣＡにおいては、ＴＤＤとＦＤＤのどちらのＤｕｐｌｅｘモードもＰＣｅｌｌとして動作できるように設計されている。図２（ａ）には、異なるＤｕｐｌｅｘモードのＣＣを用いたＣＡの一例として、ＰＣｅｌｌ（ＰＣＣ）にＦＤＤを用い、ＳＣｅｌｌ（ＳＣＣ）にＴＤＤを用いる形態が示されている。また、図２（ｂ）には、異なるＤｕｐｌｅｘモードのＣＣを用いたＣＡの一例として、ＰＣｅｌｌ（ＰＣＣ）にＴＤＤを用い、ＳＣｅｌｌ（ＳＣＣ）にＦＤＤを用いる形態が示されている。
【００１２】
ＰＣｅｌｌ（ＰＣＣ）にＦＤＤを用い、ＳＣｅｌｌ（ＳＣＣ）にＴＤＤを用いる形態では、ＰＣｅｌｌ（ＰＣＣ）のＤＬデータ及びＳＣｅｌｌ（ＳＣＣ）のＤＬデータに対し、図３に示すように、ＦＤＤ方式におけるＨＡＲＱ制御が適用される。すなわち、ＰＣｅｌｌ（ＰＣＣ）のＤＬデータ及びＳＣｅｌｌ（ＳＣＣ）のＤＬデータに対するＡＣＫ／ＮＡＣＫが送信されるタイミングは４ｍｓ後に固定される。
【００１３】
一方、ＳＣｅｌｌ（ＳＣＣ）にＦＤＤを用い、ＰＣｅｌｌ（ＰＣＣ）にＴＤＤを用いる形態では、ＰＣｅｌｌ（ＰＣＣ）のＤＬデータ及びＳＣｅｌｌ（ＳＣＣ）のＤＬデータに対し、図４に示すように、ＴＤＤ方式におけるＨＡＲＱ制御が適用される。すなわち、ＰＣｅｌｌ（ＰＣＣ）のＤＬデータ及びＳＣｅｌｌ（ＳＣＣ）のＤＬデータに対するＡＣＫ／ＮＡＣＫが送信されるタイミングはＤＬデータが送信されるサブフレームごとに異なる。
【００１４】
ここで、Ｒｅｌ−１２までのＣＡでは、ＰＵＣＣＨ（Ｐｈｙｓｉｃａｌ  Ｕｐｌｉｎｋ  Ｃｏｎｔｒｏｌ  Ｃｈａｎｎｅｌ）はＰＣｅｌｌのみに設定されていた。従って、例えば、ＰＣｅｌｌがマクロセルに設定され、ＳＣｅｌｌが多数のスモールセルに設定されるＨｅｔＮｅｔ環境では、マクロセルに多数のＰＵＣＣＨのリソースが必要になる。これにより、マクロセルのＵＬリソースが逼迫され、ＣＡを設定可能なユーザ装置の数、ＣＡに設定可能なＣＣ数に制約が生じることが想定される。
【００１５】
そこで、Ｒｅｌ−１３のＣＡでは、ＳＣｅｌｌにもＰＵＣＣＨを設定し、ＰＣｅｌｌのＰＵＣＣＨリソースをＳＣｅｌｌにオフロードさせることを可能にする技術が検討されている。
【００１６】
本技術において、ＣＡを構成する複数のＣＣのうち、ＰＣｅｌｌでＵＣＩ（Ｕｐｌｉｎｋ  ｃｏｎｔｒｏｌ  ｉｎｆｏｒｍａｔｉｏｎ）を送信するＣＣのグループは、「プライマリＰＵＣＣＨグループ（Ｐｒｉｍａｒｙ  ＰＵＣＣＨ  Ｇｒｏｕｐ）」と呼ばれる。ＣＡを構成する複数のＣＣのうち、ＰＵＣＣＨが設定されるＳＣｅｌｌでＵＣＩを送信するＣＣのグループは、「セカンダリＰＵＣＣＨグループ（Ｓｅｃｏｎｄａｒｙ  ＰＵＣＣＨ  Ｇｒｏｕｐ）」と呼ばれる。ＰＵＣＣＨが設定されるＳＣｅｌｌは、「ＰＵＣＣＨ  ＳＣｅｌｌ」と呼ばれる。なお、以下の説明において、「プライマリＰＵＣＣＨグループ」と「セカンダリＰＵＣＣＨグループ」とを区別しない場合、単に「ＰＵＣＣＨグループ」と呼ぶ。なお、ＵＣＩとは、スケジューリングリクエスト（ＳＲ：Ｓｃｈｅｄｕｌｉｎｇ  Ｒｅｑｕｅｓｔ）、ＡＣＫ／ＮＡＣＫ、ＣＱＩ（Ｃｈａｎｎｅｌ  Ｑｕａｌｉｔｙ  Ｉｎｄｉｃａｔｏｒ）を含む情報である。
【００１７】
図５に、ＰＵＣＣＨグループ及びＰＵＣＣＨ  ＳＣｅｌｌの設定例を示す。図５（ａ）は、ＦＤＤ方式のみでＣＡが行われる場合のＰＵＣＣＨグループ及びＰＵＣＣＨ  ＳＣｅｌｌの設定例を示しており、図５（ｂ）は、ＴＤＤ−ＦＤＤ  ＣＡが行われる場合のＰＵＣＣＨグループ及びＰＵＣＣＨ  ＳＣｅｌｌの設定例を示している。
【００１８】
図５（ａ）、（ｂ）の例では、ＰＣｅｌｌ及びＳＣｅｌｌ＃１はプライマリＰＵＣＣＨグループに割当てられ（グルーピングされ）ており、ＰＣｅｌｌ及びＳＣｅｌｌ＃１のＤＬデータに対するＡＣＫ／ＮＡＣＫはＰＣｅｌｌのＰＵＣＣＨを用いて送信される。また、ＳＣｅｌｌ＃２及びＳＣｅｌｌ＃３はセカンダリＰＵＣＣＨグループに割当てられ（グルーピングされ）ており、ＳＣｅｌｌ＃２及びＳＣｅｌｌ＃３のＤＬデータに対するＡＣＫ／ＮＡＣＫはＳＣｅｌｌ＃２のＰＵＣＣＨを用いて送信される。図５（ｂ）のＳＣｅｌｌ＃２及びＳＣｅｌｌ＃３のＤＬデータに対するＡＣＫ／ＮＡＣＫの送信タイミングは、図４で説明したＴＤＤ方式によるＡＣＫ／ＮＡＣＫの送信タイミングと同一である。すなわち、図４のＴＤＤ方式のＰＣｅｌｌ（ＰＣＣ）が図５（ｂ）のＳＣｅｌｌ＃２に該当し、図４のＦＤＤ方式のＳＣｅｌｌ（ＳＣＣ）が図５（ｂ）のＳＣｅｌｌ＃３に該当する。
【００１９】
ＬＴＥでは、ユーザ装置は、自身の能力情報（ｃａｐａｂｉｌｉｔｙ）を所定のメッセージ"ＵＥ−ＥＵＴＲＡ−Ｃａｐａｂｉｌｉｔｙ"で通知することが規定されている（非特許文献１）。ＣＡに関する能力情報としては、例えばユーザ装置においてＣＡを行う際に使用可能なバンドの組み合わせを示すＣＡバンドコンビネーションの情報がある。
【００２０】
上述のＲｅｌ−１３で検討されている技術を実現する場合、ユーザ装置は、ＣＡバンドコンビネーション毎に、同一のＰＵＣＣＨグループに割当て（グルーピング）可能なバンド（ＣＣ）のパターン等に関する自身の能力を具体的に基地局に通知するのが望ましい。
【００２１】
しかしながら、Ｒｅｌ−１３では、最大で３２ＣＣを束ねることが可能なＣＡが検討されている。そのため、同一のＰＵＣＣＨグループに割当て（グルーピング）可能なバンド（ＣＣ）のパターン等について、ユーザ装置がＣＡバンドコンビネーション毎に全てのパターン等を具体的に基地局に通知することは、シグナリング量が膨大になり現実的ではないと考えられる。
【００２２】
開示の技術は上記に鑑みてなされたものであって、第一の複信方式のバンドと第二の複信方式のバンドを用いてキャリアアグリゲーションを行う無線通信システムにおいて、ユーザ装置が基地局に対して、自身のキャリアアグリゲーションに関する能力を効率的に通知することが可能な技術を提供することを目的とする。
【課題を解決するための手段】
【００２３】
開示の技術のユーザ装置は、第一の複信方式のバンドと第二の複信方式のバンドを用いてキャリアアグリゲーションを行う無線通信システムにおけるユーザ装置であって、
当該ユーザ装置における前記キャリアアグリゲーションで使用可能なバンドの組み合わせを示すバンド組み合わせ情報と、当該ユーザ装置が、前記キャリアアグリゲーションにおいて、上り制御チャネルを設定するセカンダリセルを設定可能か否かを示す第一の能力情報と、当該ユーザ装置が、前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す第二の能力情報と、当該ユーザ装置が、前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す第三の能力情報と、を生成する生成部と、前記バンド組み合わせ情報と前記第一の能力情報と前記第二の能力情報と前記第三の能力情報とを基地局に送信する送信部と、を有する。
【発明の効果】
【００２４】
開示の技術によれば、第一の複信方式のバンドと第二の複信方式のバンドを用いてキャリアアグリゲーションを行う無線通信システムにおいて、ユーザ装置が基地局に対して、自身のキャリアアグリゲーションに関する能力を効率的に通知することが可能な技術が提供される。
【図面の簡単な説明】
【００２５】
【図１】ＦＤＤとＴＤＤのＤＬ  ＨＡＲＱ−ＡＣＫ送信タイミングを示す図である。
【図２】ＴＤＤ−ＦＤＤ  ＣＡを説明するための図
【図３】ＴＤＤ−ＦＤＤ  ＣＡのＤＬ  ＨＡＲＱ−ＡＣＫ送信タイミングを示す図である。
【図４】ＴＤＤ−ＦＤＤ  ＣＡのＤＬ  ＨＡＲＱ−ＡＣＫ送信タイミングを示す図である。
【図５】ＰＵＣＣＨグループ及びＰＵＣＣＨ  ＳＣｅｌｌの設定例を示す図である。
【図６】実施の形態に係る無線通信システムの構成例を示す図である。
【図７】実施の形態に係る無線通信システムの動作を示すシーケンス図である。
【図８】通知方法１に係るＵＥ能力情報の一例を示す図である。
【図９】ＴＤＤ−ＦＤＤ  ＰＣｅｌｌ  Ｃａｐａｂｉｌｉｔｙの設定パターンごとのＵＥ能力を説明するための図である。
【図１０】ＴＤＤ−ＦＤＤ  ＰＣｅｌｌ  Ｃａｐａｂｉｌｉｔｙの設定パターンごとのＵＥ能力を説明するための図である。
【図１１】ＴＤＤ−ＦＤＤ  ＰＣｅｌｌ  Ｃａｐａｂｉｌｉｔｙの設定パターンごとのＵＥ能力を説明するための図である。
【図１２】通知方法２−３に係るＵＥ能力情報の一例を示す図である。
【図１３】実施の形態に係るユーザ装置の機能構成例を示す図である。
【図１４】ユーザ装置の動作を示すフローチャートである。
【図１５】実施の形態に係る基地局の機能構成例を示す図である。
【図１６】基地局の動作を示すフローチャートである。
【図１７】実施の形態に係るユーザ装置のハードウェア構成例を示す図である。
【図１８】実施の形態に係る基地局のハードウェア構成例を示す図である。
【発明を実施するための形態】
【００２６】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥに対応していることを想定しているが、本発明はＬＴＥに限らず、ＣＡ（ＤＣを含む）を行う他の方式にも適用可能である。以下、特に断らない限り、「ＬＴＥ」は、ＬＴＥ−Ａｄｖａｎｃｅｄを含む意味で使用する。
【００２７】
以下の実施の形態では、上述したＲｅ−１３で検討されている技術（ＳＣｅｌｌにＰＵＣＣＨを設定可能にする技術）が適用される前提で説明するが、これに限られない。例えば、本実施の形態は、当該技術において、ＰＵＣＣＨに代えて他の上り制御チャネルが適用される場合にも適用することができる。
【００２８】
＜システム構成＞
図６に本実施の形態に係る無線通信システムの構成図を示す。本実施の形態に係る無線通信システムは、ＬＴＥ方式の無線通信システムであり、図６に示すように、ユーザ装置ＵＥ、及び基地局ｅＮＢを含む。基地局ｅＮＢは、例えば遠隔にＲＲＥを接続しており、スモールセルとマクロセルを形成可能である。ユーザ装置ＵＥ、及び基地局ｅＮＢは、ＴＤＤ−ＦＤＤ  ＣＡを行うことが可能である。図６には、ユーザ装置ＵＥ、及び基地局ｅＮＢが１つずつ示されているが、これは例であり、それぞれ複数であってもよい。また、ユーザ装置ＵＥは、複数の基地局ｅＮＢと同時に通信を行う能力（Ｄｕａｌ  Ｃｏｎｎｅｃｔｉｖｉｔｙ）を備えていてもよい。
【００２９】
本実施の形態において、図７に示すように、ユーザ装置ＵＥは、ステップＳ１で基地局ｅＮＢから送信されるＵＥ能力情報要求（例：ＵＥ  ｃａｐａｂｉｌｉｔｙ  ｅｎｑｕｉｒｙ）に基づいて、基地局ｅＮＢに対してＵＥ能力情報（例：ＵＥ  ｃａｐａｂｉｌｉｔｙ  Ｉｎｆｏｒｍａｔｉｏｎ）を送信する（ステップＳ２）。基地局ｅＮＢは、ユーザ装置ＵＥから通知されたＵＥ能力情報で示されるＣＡに関する能力（以下、「ＣＡ能力」という）の範囲内で、ＣＡの設定を行う。
【００３０】
なお、図７に示す通知方法は例であり、例えば、ユーザ装置ＵＥは、基地局ｅＮＢからＵＥ能力情報要求を受信することなくＵＥ能力情報を基地局ｅＮＢに通知してもよい。
【００３１】
上記の能力情報の通知において、ユーザ装置ＵＥは、自身がＣＡにおいてサポートするバンドの組み合わせ（ＣＡバンドコンビネーション、ＣＡ  ｂａｎｄ  ｃｏｍｂｉｎａｔｉｏｎ）を示す情報を基地局ｅＮＢに通知する。ユーザ装置ＵＥが複数種類のＣＡバンドコンビネーションに対応できる場合、ユーザ装置ＵＥは、対応する全てのＣＡバンドコンビネーションのパターンを基地局ｅＮＢに通知するように規定されている。
【００３２】
なお、以下、バンドの組み合わせを意図する場合は主に「ＣＡバンドコンビネーション」を用い、メッセージで運ばれる情報を意図する場合は主に「ＣＡバンドコンビネーション情報」等を用いる。
【００３３】
ここで、従来のＬＴＥにおけるＵＥ能力情報には、ＣＡバンドコンビネーション情報と共に、ユーザ装置ＵＥがＴＤＤ−ＦＤＤ  ＣＡを行う場合に、ＦＤＤキャリアをＰＣｅｌｌに設定可能であるか否か、及び、ＴＤＤキャリアをＰＣｅｌｌに設定可能であるか否かを示す情報要素（ＩＥ：Ｉｎｆｏｒｍａｔｉｏｎ  Ｅｌｅｍｅｎｔ）が含まれる。当該情報要素は、具体的には、"ｔｄｄ−ＦＤＤ−ＣＡ−ＰＣｅｌｌＤｕｐｌｅｘ"（非特許文献１）と呼ばれ、各ＣＡバンドコンビネーション共通に設定される情報要素である。
【００３４】
ユーザ装置ＵＥ自身がサポートするＣＡバンドコンビネーションの中に、ＴＤＤバンドを１つ以上含み、かつ、ＦＤＤバンドを１つ以上含むＣＡバンドコンビネーションが存在する場合、ユーザ装置ＵＥは、当該情報要素において、ＴＤＤ及びＦＤＤのうち少なくとも一方をＴｒｕｅに設定（ビットを１に設定することと同義）する必要があると規定されている。以下、当該情報要素を、便宜上「ＴＤＤ−ＦＤＤ  ＰＣｅｌｌ  Ｃａｐａｂｉｌｉｔｙ」と呼ぶ。
【００３５】
本実施の形態では、ユーザ装置ＵＥは、基地局ｅＮＢに対して、自身がＰＵＣＣＨ  ＳＣｅｌｌを設定する能力を有しているか否かを示す新規の情報要素を新たに追加し、当該新規の情報要素をＵＥ能力情報に含めて通知する。
【００３６】
更に、当該新規の情報要素と従来のＬＴＥで規定されている情報要素である「ＴＤＤ−ＦＤＤ  ＰＣｅｌｌ  Ｃａｐａｂｉｌｉｔｙ」とを組み合わせることで、ＰＵＣＣＨ  ＳＣｅｌｌを設定する際に、どのバンドのＣＣを同一のＰＵＣＣＨグループに割当てる（グルーピングする）能力を有しているのか、及び、どのバンドのＣＣをＰＵＣＣＨ  ＳＣｅｌｌに設定する能力を有しているのかを表現するようにする。
【００３７】
すなわち、本実施の形態では、ユーザ装置ＵＥから基地局ｅＮＢに送信するＵＥ能力情報において、ユーザ装置ＵＥがＰＵＣＣＨ  ＳＣｅｌｌを設定する能力を有しているか否かを示す新規の情報要素を新たに追加しつつ、同一のＰＵＣＣＨグループに割当て（グルーピング）可能なバンド（ＣＣ）のパターン等に関する能力については、ＵＥ能力情報に含まれる既存の情報要素を流用して基地局に通知するようにする。これにより、ＵＥ能力情報のシグナリング量の増加を抑えつつ、ユーザ装置ＵＥから基地局ｅＮＢに対して、自身のＣＡ能力を効率的に通知することを可能にする。以下、ユーザ装置ＵＥから基地局ｅＮＢに対して、自身のＣＡ能力を通知する方法として、通知方法１と通知方法２を説明する。
【００３８】
＜通知方法１＞
図８は、通知方法１に係るＵＥ能力情報の一例を示す図である。図８（ａ）は、ＵＥ能力情報に含まれるＣＡバンドコンビネーション情報の一例を示している。図８（ｂ）は、ＵＥ能力情報に含まれる「ＴＤＤ−ＦＤＤ  ＰＣｅｌｌ  Ｃａｐａｂｉｌｉｔｙ」の一例を示している。図８（ｃ）は、ユーザ装置ＵＥがＰＵＣＣＨ  ＳＣｅｌｌを設定する能力を有しているか否かを示す新規の情報要素の一例を示している。以下、当該新規の情報要素を「ＰＵＣＣＨ  ＳＣｅｌｌ  Ｃａｐａｂｉｌｉｔｙ」と呼ぶ。
【００３９】
図８（ａ）に示すＣＡバンドコンビネーションは、ユーザ装置ＵＥがＸ（ＦＤＤ）、Ｙ（ＦＤＤ）、Ｚ（ＴＤＤ）という３つのバンドを用いた３ＤＬ／３ＵＬ  ＣＡを行うことができる場合の例を示している。ここで、Ｘ（ＦＤＤ）はバンドＸがＴＤＤに対応していることを意味し、Ｙ（ＦＤＤ）はバンドＹがＦＤＤに対応していることを意味し、Ｚ（ＴＤＤ）はバンドＺがＴＤＤに対応していることを示す。
【００４０】
「３ＤＬ／３ＵＬ」は、下り（ＤＬ）で３つのバンドのキャリアを使用したＣＡが可能であり、上り（ＵＬ）で３つのバンドのキャリアを使用したＣＡが可能であることを意味する。
【００４１】
図８（ａ）に示す例は、ユーザ装置ＵＥが、３ＤＬ／３ＵＬのバンドの全ての組み合わせについてＣＡが可能であることを示している。なお、「全ての組み合わせ」とは、必ずしも算術的な意味での全ての組み合わせを示すわけではなく、実際上、組み合わせることが可能な組み合わせとして予め定められた組み合わせである。なお、Ｎｏ１〜３のようにＣＡをしない場合（ＤＬ：ＸＡ、ＵＬ：ＸＡ等）もサブセットとして通知することが規定されている。
【００４２】
また、「ＸＡ」等におけるＡとは、ＣＡ  ｂａｎｄｗｉｄｔｈｃｌａｓｓを示し、周波数バンド毎に、ユーザ装置ＵＥでアグリゲート可能な帯域幅、ＣＣ数を示す。例えば、周波数帯２ＧＨｚ（Ｂａｎｄ  １）と１．５ＧＨｚ（Ｂａｎｄ  ２１）で各バンドの最大ＣＣ数が１、アグリゲート可能な最大帯域幅が１００ＲＢであり、かつ２ＣＣのｉｎｔｅｒ−ｂａｎｄ  ＣＡの場合、１Ａ＿２１Ａと記述される。
【００４３】
「ＰＵＣＣＨ  ＳＣｅｌｌ  Ｃａｐａｂｉｌｉｔｙ」に「Ｔｒｕｅ」が設定される場合、ユーザ装置ＵＥがＰＵＣＣＨ  ＳＣｅｌｌを設定する能力を有していることを示し、「Ｆａｌｓｅ」が設定される場合、ユーザ装置ＵＥがＰＵＣＣＨ  ＳＣｅｌｌを設定する能力を有していないことを示す。なお、「ＰＵＣＣＨ  ＳＣｅｌｌ  Ｃａｐａｂｉｌｉtｙ」は１ビット（１＝Ｔｒｕｅ、０＝Ｆａｌｓｅ）で表現されてもよい。「ＰＵＣＣＨ  ＳＣｅｌｌ  Ｃａｐａｂｉｌｉｔｙ」は、ＵＥ単位に設定されるようにしてもよいし、ＣＡバンドコンビネーション毎に設定されるようにしてもよい。ＣＡバンドコンビネーション毎に設定される場合、「ＰＵＣＣＨ  ＳＣｅｌｌ  Ｃａｐａｂｉｌｉｔｙ」をＣＡバンドコンビネーション情報に含めるようにしてもよい。
【００４４】
「ＴＤＤ−ＦＤＤ  ＰＣｅｌｌ  Ｃａｐａｂｉｌｉｔｙ」には、「ＦＤＤ  ＰＣｅｌｌ」及び「ＴＤＤ  ＰＣｅｌｌ」の２つの設定値（パラメータ）が含まれる。
【００４５】
従来のＬＴＥでは、「ＴＤＤ−ＦＤＤ  ＰＣｅｌｌ  Ｃａｐａｂｉｌｉｔｙ」の「ＦＤＤ  ＰＣｅｌｌ」が「Ｔｒｕｅ」に設定される場合、ＴＤＤ−ＦＤＤ  ＣＡにおいて、ユーザ装置ＵＥは、ＦＤＤのバンドのＣＣをＰＣｅｌｌに設定可能なＣＡ能力を有することを意味していた。本実施の形態では、「ＰＵＣＣＨ  ＳＣｅｌｌ  Ｃａｐａｂｉｌｉｔｙ」が「Ｔｒｕｅ」に設定されている場合、従来の意味に加えて、ユーザ装置ＵＥは、同一のＰＵＣＣＨグループ内にＴＤＤとＦＤＤのバンドを混在させたＰＵＣＣＨグループを設定し、ＴＤＤとＦＤＤのバンドが混在するＰＵＣＣＨグループ内においてＦＤＤのバンドのＣＣをＰＣｅｌｌ又はＰＵＣＣＨ  ＳＣｅｌｌに設定可能なＣＡ能力を有することを意味するものとして扱う。
【００４６】
同様に、従来のＬＴＥでは、「ＴＤＤ−ＦＤＤ  ＰＣｅｌｌ  Ｃａｐａｂｉｌｉｔｙ」の「ＴＤＤ  ＰＣｅｌｌ」が「Ｔｒｕｅ」に設定される場合、ＴＤＤ−ＦＤＤ  ＣＡにおいて、ユーザ装置ＵＥは、ＴＤＤのバンドのＣＣをＰＣｅｌｌに設定可能なＣＡ能力を有することを意味していた。本実施の形態では、「ＰＵＣＣＨ  ＳＣｅｌｌ  Ｃａｐａｂｉｌｉｔｙ」が「Ｔｒｕｅ」に設定されている場合、従来の意味に加えて、ユーザ装置ＵＥは、同一のＰＵＣＣＨグループ内にＴＤＤとＦＤＤのバンドを混在させたＰＵＣＣＨグループを設定し、ＴＤＤとＦＤＤのバンドが混在するＰＵＣＣＨグループ内においてＴＤＤのバンドのＣＣをＰＣｅｌｌ又はＰＵＣＣＨ  ＳＣｅｌｌに設定可能なＣＡ能力を有することを意味するものとして扱う。
【００４７】
図８（ａ）に示すＣＡバンドコンビネーションのうち、ＴＤＤ−ＦＤＤ  ＣＡに関するＣＡバンドコンビネーションは、ＵＬのＣＣにＦＤＤ及びＴＤＤが少なくとも１つずつ含まれているＮｏ９、Ｎｏ１２、Ｎｏ１７〜Ｎｏ１９のＣＡバンドコンビネーションである。
【００４８】
以下、図を参照しつつ、Ｎｏ９、Ｎｏ１２、Ｎｏ１７〜Ｎｏ１９におけるＣＡバンドコンビネーションごとに具体例を説明する。
【００４９】
図９（ａ）は、ＤＬ及びＵＬにおいてＸＡ及びＺＡのバンドを使用する２ＤＬ／２ＵＬのＣＡバンドコンビネーション（図８（ａ）のＮｏ９）において、「ＴＤＤ−ＦＤＤ  ＰＣｅｌｌ  Ｃａｐａｂｉｌｉｔｙ」の設定ごとに、ユーザ装置ＵＥのＣＡ能力がどのように表現されるのかを示している。
【００５０】
図９（ａ）において「ＰＣｅｌｌのみ設定」とは、ＴＤＤ−ＦＤＤ  ＣＡを行う際に、ＰＵＣＣＨ  ＳＣｅｌｌを設定せずにＰＣｅｌｌのみを設定するＣＡを行う場合におけるユーザ装置ＵＥのＣＡ能力を示している。言い換えると、従来のＬＴＥで「ＴＤＤ−ＦＤＤ  ＰＣｅｌｌ  Ｃａｐａｂｉｌｉｔｙ」が意味していたＣＡ能力と同義である。「ＰＣｅｌｌ及びＰＵＣＣＨ  ＳＣｅｌｌを設定」とは、ＴＤＤ−ＦＤＤ  ＣＡを行う際に、ＰＣｅｌｌ及びＰＵＣＣＨ  ＳＣｅｌｌの両方を設定するＣＡを行う場合におけるユーザ装置ＵＥのＣＡ能力を示している。つまり、図５で説明した態様のＣＡを行う場合におけるユーザ装置ＵＥのＣＡ能力を示している。
【００５１】
ＦＤＤ  ＰＣｅｌｌ＝「Ｔｒｕｅ」及びＴＤＤ  ＰＣｅｌｌ＝「Ｔｒｕｅ」の場合、ユーザ装置ＵＥは、ＰＣｅｌｌのみを設定するＣＡを行う場合、ＸＡのＣＣ又はＺＡのＣＣのいずれかをＰＣｅｌｌに設定可能なＣＡ能力を有することを意味する。また、ＰＣｅｌｌ及びＰＵＣＣＨ  ＳＣｅｌｌの両方を設定するＣＡを行う場合、ユーザ装置ＵＥは、プライマリＰＵＣＣＨグループにＸＡ（又はＺＡ）のＣＣを割当て、セカンダリＰＵＣＣＨグループにＺＡ（又はＸＡ）のＣＣを割当て可能なＣＡ能力を有することを意味する。ＦＤＤ  ＰＣｅｌｌ＝「Ｔｒｕｅ」及びＴＤＤ  ＰＣｅｌｌ＝「Ｆａｌｓｅ」の場合、ＦＤＤ  ＰＣｅｌｌ＝「Ｆａｌｓｅ」及びＴＤＤ  ＰＣｅｌｌ＝「Ｔｒｕｅ」の場合も同様であるため説明は省略する。
【００５２】
ＦＤＤ  ＰＣｅｌｌ＝「Ｆａｌｓｅ」及びＴＤＤ  ＰＣｅｌｌ＝「Ｆａｌｓｅ」の場合、ユーザ装置ＵＥは、ＰＵＣＣＨ  ＳＣｅｌｌを設定せずにＰＣｅｌｌのみを設定するＣＡを行う能力を有していないことを意味する（言い換えると、ＰＵＣＣＨ  ＳＣｅｌｌの設定が必須であることを意味する）。
【００５３】
従来のＬＴＥでは、ＦＤＤ  ＰＣｅｌｌ＝「Ｆａｌｓｅ」及びＴＤＤ  ＰＣｅｌｌ＝「Ｆａｌｓｅ」の設定は許容されていなかった。これは、ＴＤＤ−ＦＤＤ  ＣＡでは、ＰＣｅｌｌは、ＦＤＤ又はＴＤＤに設定されるため、ＦＤＤ  ＰＣｅｌｌ＝「Ｆａｌｓｅ」及びＴＤＤ  ＰＣｅｌｌ＝「Ｆａｌｓｅ」の設定はあり得ないためである。一方、本実施の形態では、ＦＤＤ  ＰＣｅｌｌ＝「Ｆａｌｓｅ」及びＴＤＤ  ＰＣｅｌｌ＝「Ｆａｌｓｅ」の場合、ＴＤＤ−ＦＤＤ  ＣＡにおいてＰＵＣＣＨ  ＳＣｅｌｌの設定が必須であることを意味するものとして扱うようにすることで、ＦＤＤ  ＰＣｅｌｌ＝「Ｆａｌｓｅ」及びＴＤＤ  ＰＣｅｌｌ＝「Ｆａｌｓｅ」の設定を許容している。
【００５４】
図９（ｂ）は、ＤＬ及びＵＬにおいてＹＡ及びＺＡのバンドを使用する２ＤＬ／２ＵＬのＣＡバンドコンビネーション（図８（ａ）のＮｏ１２）において、「ＴＤＤ−ＦＤＤ  ＰＣｅｌｌ  Ｃａｐａｂｉｌｉｔｙ」の設定ごとに、ユーザ装置ＵＥのＣＡ能力がどのように表現されるのかを示している。図９（ｂ）は、図９（ａ）のうちＸＡをＹＡに置き換えたのみであるため説明は省略する。
【００５５】
図１０（ａ）は、ＤＬにおいてＸＡ、ＹＡ及びＺＡのバンドを使用し、ＵＬにおいてＸＡ及びＺＡのバンドを使用する３ＤＬ／２ＵＬのＣＡバンドコンビネーション（図８（ａ）のＮｏ１７）において、「ＴＤＤ−ＦＤＤ  ＰＣｅｌｌ  Ｃａｐａｂｉｌｉｔｙ」の設定ごとに、ユーザ装置ＵＥのＣＡ能力がどのように表現されるのかを示している。なお、当該ＣＡバンドコンビネーションにおいて、ＹＡはＤＬ  ＣＣのみが設定されるため、そもそもＹＡをＰＣｅｌｌ又はＰＵＣＣＨ  ＳＣｅｌｌに設定することはできない。つまり、図１０（ａ）のうち「○※」で示す箇所については、ＹＡ以外のバンドがＰＣｅｌｌ又はＰＵＣＣＨ  ＳＣｅｌｌに設定される必要があることを意図している。
【００５６】
図１０（ｂ）は、ＤＬにおいてＸＡ、ＹＡ及びＺＡのバンドを使用し、ＵＬにおいてＹＡ及びＺＡのバンドを使用する３ＤＬ／２ＵＬのＣＡバンドコンビネーション（図８（ａ）のＮｏ１８）において、「ＴＤＤ−ＦＤＤ  ＰＣｅｌｌ  Ｃａｐａｂｉｌｉｔｙ」の設定ごとに、ユーザ装置ＵＥのＣＡ能力がどのように表現されるのかを示している。図１０（ｂ）は、図１０（ａ）のうちＸＡとＹＡを入れ替えたのみであるため説明は省略する。
【００５７】
図１１は、ＤＬ及びＵＬにおいてＸＡ、ＹＡ及びＺＡのバンドを使用する３ＤＬ／３ＵＬのＣＡバンドコンビネーション（図８（ａ）のＮｏ１９）において、「ＴＤＤ−ＦＤＤ  ＰＣｅｌｌ  Ｃａｐａｂｉｌｉｔｙ」の設定ごとに、ユーザ装置ＵＥのＣＡ能力がどのように表現されるのかを示している。図１１において、「△」で示す箇所は、当該ＰＵＣＣＨグループ内で、下線部が引かれたバンドのＣＣのみがＰＣｅｌｌ又はＰＵＣＣＨ  ＳＣｅｌｌに設定可能であることを意味している。
【００５８】
例えば、ＦＤＤ  ＰＣｅｌｌ＝「Ｔｒｕｅ」及びＴＤＤ  ＰＣｅｌｌ＝「Ｆａｌｓｅ」の場合で、ＰＣｅｌｌ及びＰＵＣＣＨ  ＳＣｅｌｌの両方を設定するＣＡを行う場合において、ＸＡをプライマリＰＵＣＣＨグループに割当て、ＹＡ及びＺＡをセカンダリＰＵＣＣＨグループに割当てるパターンの場合、ユーザ装置ＵＥは、ＹＡ（ＦＤＤ）のＣＣのみをＰＵＣＣＨ  ＳＣｅｌｌに設定可能なＣＡ能力のみを有しており、ＺＡ（ＴＤＤ）のＣＣをＰＵＣＣＨ  ＳＣｅｌｌに設定可能なＣＡ能力は有していないことを意味する。
【００５９】
同様に、例えば、ＦＤＤ  ＰＣｅｌｌ＝「Ｆａｌｓｅ」及びＴＤＤ  ＰＣｅｌｌ＝「Ｔｒｕｅ」の場合で、ＰＣｅｌｌ及びＰＵＣＣＨ  ＳＣｅｌｌの両方を設定するＣＡを行う場合において、ＹＡ及びＺＡをプライマリＰＵＣＣＨグループに割当て、ＸＡをセカンダリＰＵＣＣＨグループに割当てる場合、ユーザ装置ＵＥは、ＺＡ（ＴＤＤ）のＣＣのみをＰＣｅｌｌに設定可能なＣＡ能力のみを有しており、ＺＡ（ＦＤＤ）のＣＣをＰＣｅｌｌに設定可能なＣＡ能力は有していないことを意味する。
【００６０】
以上、本実施の形態において、「ＰＵＣＣＨ  ＳＣｅｌｌ  Ｃａｐａｂｉｌｉｔｙ」が「Ｔｒｕｅ」に設定されている場合、「ＴＤＤ−ＦＤＤ  ＰＣｅｌｌ  Ｃａｐａｂｉｌｉｔｙ」を用いて、ＴＤＤ−ＦＤＤ  ＣＡにおけるユーザ装置ＵＥのＣＡ能力を表現する方法について説明した。
【００６１】
なお、本実施の形態において、「ＰＵＣＣＨ  ＳＣｅｌｌ  Ｃａｐａｂｉｌｉｔｙ」が「Ｔｒｕｅ」に設定されている場合、ＦＤＤ及びＴＤＤのいずれか一方の複信方式のバンドのみを用いるＣＡについては、ユーザ装置ＵＥは、任意のＣＣをＰＵＣＣＨ  ＳＣｅｌｌに設定可能なＣＡ能力を有することを意味する。例えば、図８（ａ）のＮｏ６には、ＤＬ及びＵＬにおいてＸＡ（ＦＤＤ）及びＹＡ（ＦＤＤ）のバンドを使用する２ＤＬ／２ＵＬのＣＡバンドコンビネーションが示されているが、当該ＣＡバンドコンビネーションにおいて、ＰＵＣＣＨ  ＳＣｅｌｌを設定する場合、ユーザ装置ＵＥは、ＸＡをＰＵＣＣＨ  ＳＣｅｌｌに設定するＣＡ能力と、ＹＡをＰＵＣＣＨ  ＳＣｅｌｌに設定するＣＡ能力とを有していることを意味する。
【００６２】
＜通知方法２＞
前述の「ＴＤＤ−ＦＤＤ  ＰＣｅｌｌ  Ｃａｐａｂｉｌｉｔｙ」は、従来のＬＴＥでは、各ＣＡバンドコンビネーションで共通の情報であり、ＣＡバンドコンビネーション単位には設定されない情報である。つまり、通知方法１では、ユーザ装置ＵＥは、自身がサポートする全てのＴＤＤ−ＦＤＤ  ＣＡのＣＡバンドコンビネーションにおいて、「ＴＤＤ−ＦＤＤ  ＰＣｅｌｌ  Ｃａｐａｂｉｌｉｔｙ」の設定に応じたＣＡ能力を有している必要があった。例えば、ユーザ装置ＵＥは、図８に示すＵＥ能力情報（ＦＤＤ  ＰＣｅｌｌ＝「Ｔｒｕｅ」及びＴＤＤ  ＰＣｅｌｌ＝「Ｔｒｕｅ」が設定されたＵＥ能力情報）を基地局ｅＮＢに通知する場合、図９〜図１１で説明したＦＤＤ  ＰＣｅｌｌ＝「Ｔｒｕｅ」及びＴＤＤ  ＰＣｅｌｌ＝「Ｔｒｕｅ」に該当する全てのパターンに対応可能なＣＡ能力を有している必要があった。
【００６３】
しかしながら、ユーザ装置ＵＥにおいて、例えば、一部のバンドの組み合わせにおいて、同一のＰＵＣＣＨグループに割当て可能なバンド（ＣＣ）等が制限されるような場合（例えばＩｏＴテストが完了していない場合を含む）が想定される。例えば、図８（ａ）のＣＡバンドコンビネーションにおいて、ユーザ装置ＵＥは、Ｎｏ１２のＣＡバンドコンビネーションのみ、ＴＤＤ  ＰＣｅｌｌ＝「Ｔｒｕｅ」の場合におけるＣＡ能力を有していないという場合が想定される。この場合、Ｎｏ１２のＣＡバンドコンビネーション以外についてはＴＤＤ  ＰＣｅｌｌ＝「Ｔｒｕｅ」の場合におけるＣＡ能力を有しているにも関わらず、Ｎｏ１２のＣＡバンドコンビネーションのみＴＤＤ  ＰＣｅｌｌ＝「Ｔｒｕｅ」の場合におけるＣＡ能力を有していないため、ユーザ装置ＵＥは、「ＴＤＤ−ＦＤＤ  ＰＣｅｌｌ  Ｃａｐａｂｉｌｉｔｙ」に、ＦＤＤ  ＰＣｅｌｌ＝「Ｔｒｕｅ」及びＴＤＤ  ＰＣｅｌｌ＝「Ｔｒｕｅ」を設定することができないことになる。
【００６４】
このような問題を解決するため、本実施の形態では、以下に示す通知方法２−１、通知方法２−２又は通知方法２−３を用いるようにしてもよい。
【００６５】
（通知方法２−１）
通知方法２−１では、ユーザ装置ＵＥから基地局ｅＮＢに通知するＣＡバンドコンビネーションの範囲を限定すると共に、ユーザ装置ＵＥは、限定されたＣＡバンドコンビネーションの範囲内で自身がサポートする全てのＴＤＤ−ＦＤＤ  ＣＡのＣＡバンドコンビネーションにおいて、自身のＣＡ能力に応じた「ＴＤＤ−ＦＤＤ  ＰＣｅｌｌ  Ｃａｐａｂｉｌｉｔｙ」を通知するようにする。
【００６６】
より具体的には、基地局ｅＮＢは、図７のステップＳ１でユーザ装置ＵＥに送信するＵＥ能力情報要求に、ＣＡバンドコンビネーションの範囲を限定するための情報を含めるようにする。ＣＡバンドコンビネーションの範囲を限定するための情報は、例えば、基地局ｅＮＢ自身が対応するバンドを示す情報でもよい。基地局ｅＮＢが対応するバンドを示す情報とは、具体的な周波数でもよいし、バンドの番号（Ｅ−ＵＴＲＡ  Ｏｐｅｒａｔｉｎｇ  Ｂａｎｄの番号）でもよい。
【００６７】
また、ＣＡバンドコンビネーションの範囲を限定するための情報は、通知を要求するＣＡバンドコンビネーションを示すホワイトリストであってもよいし、逆に、通知を要求しないＣＡバンドコンビネーションを示すブラックリストであってもよい。ホワイトリスト又はブラックリストには、ＣＡバンドコンビネーションを示すインデックス値が設定されてもよいし、「１Ａ−４０Ａ」のようにＣＡバンドコンビネーションを具体的に指定する情報が設定されてもよい。
【００６８】
続いて、ユーザ装置ＵＥは、図７のステップＳ２において、限定されたＣＡバンドコンビネーションの範囲内で自身がサポートするＣＡバンドコンビネーション情報と、当該限定されたＣＡバンドコンビネーションの範囲内で自身がサポートする全てのＴＤＤ−ＦＤＤ  ＣＡのＣＡバンドコンビネーションにおいて、自身のＣＡ能力に応じた「ＴＤＤ−ＦＤＤ  ＰＣｅｌｌ  Ｃａｐａｂｉｌｉｔｙ」と、「ＰＵＣＣＨ  ＳＣｅｌｌ  Ｃａｐａｂｉｌｉｔｙ」とをＵＥ能力情報に含めて基地局ｅＮＢに送信する。なお、ユーザ装置ＵＥは、ＣＡバンドコンビネーション情報、「ＴＤＤ−ＦＤＤ  ＰＣｅｌｌ  Ｃａｐａｂｉｌｉｔｙ」及び「ＰＵＣＣＨ  ＳＣｅｌｌ  Ｃａｐａｂｉｌｉｔｙ」を、ステップＳ２で送信するＵＥ能力情報（すなわち、ＵＥ  Ｃａｐａｂｉｌｉｔｙ  ｅｎｑｕｉｒｙに対応するＲＲＣメッセージ）ではなく、他のＲＲＣメッセージのＩＥに設定して基地局ｅＮＢに送信するようにしてもよい。なお、ユーザ装置ＵＥは、限定されたＣＡバンドコンビネーションの範囲内で通知可能なＣＡ能力が存在しない場合、ＵＥ能力情報に「ｅｍｐｔｙ」を格納するようにしてもよい。また、ユーザ装置ＵＥは、ＵＥ能力情報（又は上述の他のＲＲＣメッセージのＩＥ）に、限定されたＣＡバンドコンビネーションの範囲内でＣＡ能力を通知していることを示す情報を付加するようにしてもよい。
【００６９】
図を参照しつつ通知方法２−１の動作の具体例を説明する。例えば、前述のように、ユーザ装置ＵＥは、図８（ａ）のＣＡバンドコンビネーションにおいて、Ｎｏ１２のＣＡバンドコンビネーションのみ、ＴＤＤ  ＰＣｅｌｌ＝「Ｔｒｕｅ」の場合におけるＣＡ能力を有していないという場合を想定する。この場合において、基地局ｅＮＢからユーザ装置ＵＥに対して、基地局ｅＮＢが対応するバンドを示す情報として「バンドＸＡ及びバンドＺＡ」が通知されたと仮定する。この場合、ユーザ装置ＵＥは、図８（ａ）に示すＣＡバンドコンビネーションのうち、Ｎｏ１、Ｎｏ３、Ｎｏ７〜Ｎｏ９のＣＡバンドコンビネーションに限定してＣＡ能力を通知することになる。
【００７０】
ユーザ装置ＵＥは、Ｎｏ１２以外のＣＡバンドコンビネーションについては、ＦＤＤ  ＰＣｅｌｌ＝「Ｔｒｕｅ」及びＴＤＤ  ＰＣｅｌｌ＝「Ｔｒｕｅ」におけるＣＡ能力を有している。従って、ユーザ装置ＵＥは、ＵＥ能力情報の「ＴＤＤ−ＦＤＤ  ＰＣｅｌｌ  Ｃａｐａｂｉｌｉｔｙ」に、ＦＤＤ  ＰＣｅｌｌ＝「Ｔｒｕｅ」及びＴＤＤ  ＰＣｅｌｌ＝「Ｔｒｕｅ」を設定して基地局ｅＮＢに通知する。
【００７１】
通知方法２−１によれば、ユーザ装置ＵＥは、自身のＣＡ能力をより適切に基地局ｅＮＢに通知することができる。
【００７２】
（通知方法２−２）
通知方法２−２では、基地局ｅＮＢからユーザ装置ＵＥに「ＴＤＤ−ＦＤＤ  ＰＣｅｌｌ  Ｃａｐａｂｉｌｉｔｙ」のパターンを通知し、ユーザ装置ＵＥは、通知されたパターンを満たすＴＤＤ−ＦＤＤ  ＣＡのＣＡバンドコンビネーションを基地局ｅＮＢに通知するようにする。
【００７３】
より具体的には、基地局ｅＮＢは、図７のステップＳ１でユーザ装置ＵＥに送信するＵＥ能力情報要求に、「ＴＤＤ−ＦＤＤ  ＰＣｅｌｌ  Ｃａｐａｂｉｌｉｔｙ」のパターンを含めるようにする。「ＴＤＤ−ＦＤＤ  ＰＣｅｌｌ  Ｃａｐａｂｉｌｉｔｙ」のパターンとは、ＦＤＤ  ＰＣｅｌｌ＝「Ｔｒｕｅ」及びＴＤＤ  ＰＣｅｌｌ＝「Ｔｒｕｅ」、ＦＤＤ  ＰＣｅｌｌ＝「Ｔｒｕｅ」及びＴＤＤ  ＰＣｅｌｌ＝「Ｆａｌｓｅ」、ＦＤＤ  ＰＣｅｌｌ＝「Ｆａｌｓｅ」及びＴＤＤ  ＰＣｅｌｌ＝「Ｔｒｕｅ」、ＦＤＤ  ＰＣｅｌｌ＝「Ｆａｌｓｅ」及びＴＤＤ  ＰＣｅｌｌ＝「Ｆａｌｓｅ」のいずれかである。
【００７４】
続いて、ユーザ装置ＵＥは、図７のステップＳ２において、自身がサポートするＣＡバンドコンビネーションのうち、指定されたパターンを満たすＴＤＤ−ＦＤＤ  ＣＡのＣＡバンドコンビネーション情報をＵＥ能力情報に含めて基地局ｅＮＢに通知する。
【００７５】
図を参照しつつ通知方法２−２の動作の具体例を説明する。例えば、前述のように、ユーザ装置ＵＥは、図８（ａ）のＣＡバンドコンビネーションにおいて、Ｎｏ１２のＣＡバンドコンビネーションのみ、ＴＤＤ  ＰＣｅｌｌ＝「Ｔｒｕｅ」の場合におけるＣＡ能力を有していないという場合を想定する。この場合において、基地局ｅＮＢからユーザ装置ＵＥに対して、ＦＤＤ  ＰＣｅｌｌ＝「Ｔｒｕｅ」及びＴＤＤ  ＰＣｅｌｌ＝「Ｔｒｕｅ」のパターンが通知されたと仮定する。この場合、ユーザ装置ＵＥは、図８（ａ）に示すＣＡバンドコンビネーションのうち、Ｎｏ９、Ｎｏ１７〜Ｎｏ１９のＣＡバンドコンビネーション情報をＵＥ能力情報に含めて基地局ｅＮＢに通知する。なお、ユーザ装置ＵＥは、ＵＥ能力情報に、ＣＡバンドコンビネーション情報のみを含めるようにしてもよいし、更に、「ＴＤＤ−ＦＤＤ  ＰＣｅｌｌ  Ｃａｐａｂｉｌｉｔｙ」及び「ＰＵＣＣＨ  ＳＣｅｌｌ  Ｃａｐａｂｉｌｉｔｙ」を含めるようにしてもよい。
【００７６】
以上、通知方法２−２によれば、ユーザ装置ＵＥは、自身のＣＡ能力をより適切に基地局ｅＮＢに通知することができる。
【００７７】
（通知方法２−３）
通知方法２−３では、「ＴＤＤ−ＦＤＤ  ＰＣｅｌｌ  Ｃａｐａｂｉｌｉｔｙ」を、ＴＤＤ−ＦＤＤ  ＣＡであるＣＡバンドコンビネーション毎に設定することを可能にする。
【００７８】
なお、ユーザ装置ＵＥは、「ＴＤＤ−ＦＤＤ  ＰＣｅｌｌ  Ｃａｐａｂｉｌｉｔｙ」を、ＴＤＤのＵＬ  ＣＣ及びＦＤＤのＵＬ  ＣＣを含むＣＡバンドコンビネーションに限定して設定するようにしてもよい。
【００７９】
図１２は、通知方法２−３に係るＵＥ能力情報の一例を示す図である。図１２（ａ）は、通知方法２−３におけるＣＡバンドコンビネーション情報の一例を示している。なお、通知方法２−３において、「ＴＤＤ−ＦＤＤ  ＰＣｅｌｌ  Ｃａｐａｂｉｌｉｔｙ」のうち「ＴＤＤ  ＰＣｅｌｌ」又は「ＦＤＤ  ＰＣｅｌｌ」のいずれか一方のみが設定されるようにしてもよい。この場合、設定されない「ＴＤＤ−ＦＤＤ  ＰＣｅｌｌ  Ｃａｐａｂｉｌｉｔｙ」については、「Ｆａｌｓｅ」であると判断されてもよいし、逆に、「Ｔｒｕｅ」であると判断されてもよい。
【００８０】
基地局ｅＮＢは、通知方法２−３を用いてＣＡ能力を通知するようにユーザ装置ＵＥに指示するようにしてもよい。当該指示は、ＵＥ能力情報要求（図７のステップＳ１）に含まれてもよい。
【００８１】
通知方法２−３が用いられる場合、図１２（ｂ）の「ＴＤＤ−ＦＤＤ  ＰＣｅｌｌ  Ｃａｐａｂｉｌｉｔｙ」についてはＵＥ能力情報に設定されなくてもよいし、設定されていた場合は基地局ｅＮＢで無視されるようにしてもよい。
【００８２】
以上、通知方法２−３によれば、ユーザ装置ＵＥは、自身のＣＡ能力をより適切に基地局ｅＮＢに通知することができる。
【００８３】
＜機能構成＞
（ユーザ装置）
図１３は、実施の形態に係るユーザ装置の機能構成例を示す図である。図１３に示すように、ユーザ装置ＵＥは、ＤＬ信号受信部１０１、ＵＬ信号送信部１０２、ＵＥ能力情報格納部１０３、ＵＥ能力情報通知制御部１０４、ＣＡ制御部１０５、取得部１０６を備える。なお、図１３は、ユーザ装置ＵＥにおいて本発明に特に関連する機能部のみを示すものであり、少なくともＬＴＥに準拠した動作を行うための図示しない機能も有するものである。
【００８４】
ＤＬ信号受信部１０１は、基地局ｅＮＢから各種の下り信号を受信し、受信した物理レイヤの信号からより上位のレイヤの情報を取得する機能を含む。ＵＬ信号送信部１０２は、ユーザ装置ＵＥから送信されるべき上位のレイヤの情報から、物理レイヤの各種信号を生成し、基地局ｅＮＢに対して送信する機能を含む。
【００８５】
ＵＥ能力情報格納部１０３は、ユーザ装置ＵＥ自身がサポートしているＣＡバンドコンビネーション、「ＰＵＣＣＨ  ＳＣｅｌｌ  Ｃａｐａｂｉｌｉｔｙ」の対応有無、各ＣＡバンドコンビネーションにおける「ＴＤＤ−ＦＤＤ  ＰＣｅｌｌ  Ｃａｐａｂｉｌｉｔｙ」の対応パターンを格納する。
【００８６】
ＵＥ能力情報通知制御部１０４は、ＵＥ能力情報を基地局ｅＮＢに送信する場合に、ＵＥ能力情報格納部１０３を参照し、ＣＡバンドコンビネーション情報、「ＴＤＤ−ＦＤＤ  ＰＣｅｌｌ  Ｃａｐａｂｉｌｉｔｙ」、「ＰＵＣＣＨ  ＳＣｅｌｌ  Ｃａｐａｂｉｌｉｔｙ」を含むＵＥ能力情報を生成する。また、ＵＥ能力情報通知制御部１０４は、生成したＵＥ能力情報を基地局ｅＮＢに送信するようにＵＬ信号送信部１０２に指示する。ＵＬ信号送信部１０２は、ＵＥ能力情報を所定のメッセージに載せて、例えばＰＵＳＣＨ、ＰＵＣＣＨ等のチャネルで基地局ｅＮＢに送信する。
【００８７】
ＣＡ制御部１０５は、ＣＡを構成しているＰＣｅｌｌ（ＰＣＣ）、ＳＣｅｌｌ（ＳＣＣ）の管理や、基地局ｅＮＢからの指示に基づくＳＣｅｌｌの追加／削除、Ａｃｔｉｖａｔｉｏｎ／Ｄｅａｃｔｉｖａｔｉｏｎ等のユーザ装置ＵＥにおけるＣＡに関する制御を行う。また、ＣＡ制御部１０５は、基地局ｅＮＢからの指示に基づき、ＰＵＣＣＨ  ＳＣｅｌｌの設定、プライマリＰＵＣＣＨグループの設定、セカンダリＰＵＣＣＨグループの設定を行う。
【００８８】
取得部１０６は、基地局ｅＮＢからＵＥ能力情報要求を取得し、ＵＥ能力情報要求を取得したことをＵＥ能力情報通知制御部１０４に通知する。また、取得部１０６は、基地局ｅＮＢから、基地局ｅＮＢに通知するＣＡバンドコンビネーションを限定するための情報、「ＴＤＤ−ＦＤＤ  ＰＣｅｌｌ  Ｃａｐａｂｉｌｉｔｙ」のパターン等が通知されたことをＵＥ能力情報通知制御部１０４に通知する。
【００８９】
次に、図１４に示すフローチャートを参照して、ユーザ装置ＵＥの動作例を説明する。
【００９０】
例えば、ユーザ装置ＵＥが基地局ｅＮＢと接続するタイミング（ＲＲＣコネクションを設定するタイミング）において、ユーザ装置ＵＥが基地局ｅＮＢからＵＥ能力情報要求を受信する（ステップＳ１０１）。ユーザ装置ＵＥのＵＥ能力情報通知制御部１０４は、ＵＥ能力情報格納部１０３を参照することで、対応可能なＣＡバンドコンビネーション、「ＴＤＤ−ＦＤＤ  ＰＣｅｌｌ  Ｃａｐａｂｉｌｉｔｙ」、「ＰＵＣＣＨ  ＳＣｅｌｌ  Ｃａｐａｂｉｌｉｔｙ」を取得するとともに、通知方法１、通知方法２−１〜２−３で説明した方法を用いてＵＥ能力情報を生成し、生成したＵＥ能力情報をＵＬ信号送信部１０２に送信させる（ステップＳ１０２）。
【００９１】
（基地局）
図１５は、実施の形態に係る基地局の機能構成例を示す図である。図１５に示すように、基地局ｅＮＢは、ＤＬ信号送信部２０１、ＵＬ信号受信部２０２、ＵＥ能力情報格納部２０３、ＣＡ設定部２０４を有する。なお、図１５は、基地局ｅＮＢにおいて本発明の実施の形態に特に関連する機能部のみを示すものであり、少なくともＬＴＥ方式に準拠した動作を行うための図示しない機能も有するものである。
【００９２】
ＤＬ信号送信部２０１は、基地局ｅＮＢから送信されるべき上位のレイヤの情報から、物理レイヤの各種信号を生成し、ユーザ装置ＵＥに対して送信する機能を含む。ＵＬ信号受信部２０２は、ユーザ装置ＵＥから各種の上り信号を受信し、受信した物理レイヤの信号からより上位のレイヤの情報を取得する機能を含む。
【００９３】
ＵＥ能力情報格納部２０３は、ユーザ装置ＵＥ毎に、ユーザ装置ＵＥのＵＥ能力情報（ＣＡバンドコンビネーション情報、「ＴＤＤ−ＦＤＤ  ＰＣｅｌｌ  Ｃａｐａｂｉｌｉｔｙ」、「ＰＵＣＣＨ  ＳＣｅｌｌ  Ｃａｐａｂｉｌｉｔｙ」等を含む）を取得してメモリ等に格納する。ＵＥ能力情報格納部２０３に格納されたＵＥ能力情報は、例えば、ＣＡ設定部２０４で使用される。
【００９４】
ＣＡ設定部２０４は、ＵＥ能力情報格納部２０３に格納されたＵＥ能力情報に基づいてユーザ装置ＵＥのＣＡ能力を判断し、ユーザ装置ＵＥのＣＡ能力の範囲内でＣＡの設定を行う。また、ＣＡ設定部２０４は、ユーザ装置ＵＥのＣＡ能力の範囲内で、ＣＡを設定するＣＣの選定、プライマリＰＵＣＣＨグループに割当てるＣＣの選択、セカンダリＰＵＣＣＨグループに割当てるＣＣの選択、ＰＵＣＣＨ  ＳＣｅｌｌに設定するＣＣの選定、ＰＣｅｌｌに設定するＣＣの選定などを行う。
【００９５】
図１６のフローチャートを参照して、基地局ｅＮＢの動作例を説明する。
【００９６】
基地局ｅＮＢは、ユーザ装置ＵＥからＵＬ信号受信部２０２によりＵＥ能力情報を受信する（ステップＳ２０１）。次に、基地局ｅＮＢのＣＡ設定部２０４は、ＵＥ能力情報に含まれる「ＰＵＣＣＨ  ＳＣｅｌｌ  Ｃａｐａｂｉｌｉｔｙ」の設定内容を確認する（ステップ２０２）。
【００９７】
「ＰＵＣＣＨ  ＳＣｅｌｌ  Ｃａｐａｂｉｌｉｔｙ」が「Ｔｒｕｅ」に設定されている場合、ＣＡ設定部２０４は、ＵＥ能力情報に含まれる「ＴＤＤ−ＦＤＤ  ＰＣｅｌｌ  Ｃａｐａｂｉｌｉｔｙ」を用いて、ＰＣｅｌｌのみを設定する場合におけるＰＣｅｌｌに設定可能な複信方式に関するユーザ装置ＵＥのＣＡ能力、並びに、ＰＣｅｌｌ及びＰＵＣＣＨ  ＳＣｅｌｌを設定する場合におけるプライマリ／セカンダリＰＵＣＣＨグループの設定に関するユーザ装置ＵＥのＣＡ能力を判定し、ユーザ装置ＵＥのＣＡ能力の範囲内でＣＡの設定を行う（ステップ２０３）。
【００９８】
「ＰＵＣＣＨ  ＳＣｅｌｌ  Ｃａｐａｂｉｌｉｔｙ」が「Ｆａｌｓｅ」に設定されている場合、ＣＡ設定部２０４は、ＵＥ能力情報に含まれる「ＴＤＤ−ＦＤＤ  ＰＣｅｌｌ  Ｃａｐａｂｉｌｉｔｙ」を用いて、ＰＣｅｌｌのみを設定する場合におけるＰＣｅｌｌに設定可能な複信方式に関するユーザ装置ＵＥのＣＡ能力を判定し、ユーザ装置ＵＥのＣＡ能力の範囲内でＣＡの設定を行う（ステップ２０４）。
【００９９】
＜ハードウェア構成＞
以上説明したユーザ装置ＵＥ及び基地局ｅＮＢの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【０１００】
図１７は、実施の形態に係るユーザ装置のハードウェア構成例を示す図である。図１７は、図１３よりも実装例に近い構成を示している。図１７に示すように、ユーザ装置ＵＥは、無線信号に関する処理を行うＲＥ（Radio Equipment）モジュール３０１と、ベースバンド信号処理を行うＢＢ（Base Band）処理モジュール３０２と、上位レイヤ等の処理を行う装置制御モジュール３０３と、ＳＩＭカードにアクセスするインタフェースであるＳＩＭスロット３０４とを有する。
【０１０１】
ＲＥモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＥモジュール３０１は、例えば、図１３に示すＤＬ信号受信部１０１及びＵＬ信号送信部１０２の一部を含む。
【０１０２】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図１３に示すＤＬ信号受信部１０１及びＵＬ信号送信部１０２の一部を含む。
【０１０３】
装置制御モジュール３０３は、ＩＰレイヤのプロトコル処理、各種アプリケーションの処理等を行う。プロセッサ３１３は、装置制御モジュール３０３が行う処理を行うプロセッサである。メモリ３２３は、プロセッサ３１３のワークエリアとして使用される。また、プロセッサ３１３は、ＳＩＭスロット３０４を介してＳＩＭとの間でデータの読出し及び書込みを行う。装置制御モジュール３０３は、例えば、図１３に示すＵＥ能力情報格納部１０３、ＵＥ能力情報通知制御部１０４、ＣＡ制御部１０５及び取得部１０６を含む。
【０１０４】
図１８は、実施の形態に係る基地局のハードウェア構成例を示す図である。図１８は、図１５よりも実装例に近い構成を示している。図１８に示すように、基地局ｅＮＢは、無線信号に関する処理を行うＲＥモジュール４０１と、ベースバンド信号処理を行うＢＢ処理モジュール４０２と、上位レイヤ等の処理を行う装置制御モジュール４０３と、ネットワークと接続するためのインタフェースである通信ＩＦ４０４とを含む。
【０１０５】
ＲＥモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＥモジュール４０１は、例えば、図１５に示すＤＬ信号送信部２０１及びＵＬ信号受信部２０２の一部を含む。
【０１０６】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図１５に示すＤＬ信号送信部２０１の一部及びＵＬ信号受信部２０２の一部を含む。
【０１０７】
装置制御モジュール４０３は、ＩＰレイヤのプロトコル処理、ＯＡＭ（Operation and Maintenance）処理等を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、基地局ｅＮＢ自身が動作するための各種設定情報等が格納される。装置制御モジュール４０３は、例えば、図１５に示すＵＥ能力情報格納部２０３及びＣＡ設定部２０４を含む。
【０１０８】
＜まとめ＞
以上、実施の形態によれば、第一の複信方式のバンドと第二の複信方式のバンドを用いてキャリアアグリゲーションを行う無線通信システムにおけるユーザ装置であって、
当該ユーザ装置における前記キャリアアグリゲーションで使用可能なバンドの組み合わせを示すバンド組み合わせ情報と、当該ユーザ装置が、前記キャリアアグリゲーションにおいて、上り制御チャネルを設定するセカンダリセルを設定可能か否かを示す第一の能力情報と、当該ユーザ装置が、前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す第二の能力情報と、当該ユーザ装置が、前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す第三の能力情報と、を生成する生成部と、前記バンド組み合わせ情報と前記第一の能力情報と前記第二の能力情報と前記第三の能力情報とを基地局に送信する送信部と、を有するユーザ装置が提供される。このユーザ装置ＵＥにより、第一の複信方式のバンドと第二の複信方式のバンドを用いてキャリアアグリゲーションを行う無線通信システムにおいて、ユーザ装置が基地局に対して、自身のＣＡに関する能力を効率的に通知することが可能な技術が提供される。
【０１０９】
また、前記基地局から、前記基地局が対応する複数のバンドを示す情報を取得する取得部、を有し、前記生成部は、前記基地局が対応する複数のバンド内で、当該ユーザ装置が前記キャリアアグリゲーションにおいて使用可能な部分的なバンドの組み合わせを示すバンド組み合わせ情報と、前記部分的なバンド組み合わせの中で前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す前記第二の能力情報と、前記部分的なバンド組み合わせの中で前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す前記第三の能力情報と、を生成するようにしてもよい。これにより、ユーザ装置ＵＥは、特定のＣＡバンドコンビネーションにおいて、一部の「ＴＤＤ−ＦＤＤ  ＰＣｅｌｌ  Ｃａｐａｂｉｌｉｔｙ」が制限される場合であっても、自身のＣＡ能力をより適切に基地局ｅＮＢに通知することができる。
【０１１０】
また、前記基地局から、当該ユーザ装置が前記キャリアアグリゲーションにおいて使用可能なバンド組み合わせのうち、前記第一の複信方式のバンドを用いてプライマリセルを設定可能であり、かつ、前記第一の複信方式と前記第二の複信方式を含む所定のグループにおいて前記第一の複信方式のバンドを用いて上り制御チャネルを設定するセカンダリセルを設定可能な部分的なバンド組み合わせのみを通知することを指示する情報を取得する取得部、を有し、前記生成部は、当該ユーザ装置が前記キャリアアグリゲーションにおいて使用可能なバンド組み合わせのうち、前記第一の複信方式のバンドを用いてプライマリセルを設定可能であり、かつ、前記第一の複信方式と前記第二の複信方式を含む所定のグループにおいて前記第一の複信方式のバンドを用いて上り制御チャネルを設定するセカンダリセルを設定可能な部分的なバンド組み合わせのみを示す前記バンド組み合わせ情報を生成する、ようにしてもよい。これにより、ユーザ装置ＵＥは、基地局ｅＮＢから指定された「ＴＤＤ−ＦＤＤ  ＰＣｅｌｌ  Ｃａｐａｂｉｌｉｔｙ」を満たすＣＡバンドコンビネーションのみを通知することができ、自身のＣＡ能力を効率的に基地局ｅＮＢに通知することができる。
【０１１１】
また、前記生成部は、前記第二の能力情報と、前記第三の能力情報とを、当該ユーザ装置における前記キャリアアグリゲーションで使用可能なバンドの組み合わせ毎に生成するようにしてもよい。これにより、ユーザ装置ＵＥは、自身のＣＡ能力をより正確に基地局ｅＮＢに通知することができる。
【０１１２】
また、前記生成部は、当該ユーザ装置が前記キャリアアグリゲーションを行う際にセカンダリセルに上り制御チャネルを設定する必要があることを前記基地局に通知する場合、前記第二の能力情報及び前記第三の能力情報に、設定不可能であることを示す情報を設定する、ようにしてもよい。これにより、ユーザ装置ＵＥは、既存の情報要素（ＩＥ）を流用して自身のＣＡ能力をより正確に基地局ｅＮＢに通知することができる。また、これにより、ユーザ装置ＵＥから基地局ｅＮＢにＵＥ能力情報を通知する際のシグナリング量を抑えることが可能になる。
【０１１３】
また、前記第一の複信方式はＴＤＤであり、前記第二の複信方式はＦＤＤである、又は、前記第一の複信方式はＦＤＤであり、前記第二の複信方式はＴＤＤであるようにしてもよい。
【０１１４】
また、実施の形態によれば、第一の複信方式のバンドと第二の複信方式のバンドを用いてキャリアアグリゲーションを行う無線通信システムにおける基地局であって、ユーザ装置から、前記ユーザ装置が前記キャリアアグリゲーションで使用可能なバンドの組み合わせを示すバンド組み合わせ情報と、前記ユーザ装置が、前記キャリアアグリゲーションにおいて、上り制御チャネルを設定するセカンダリセルを設定可能か否かを示す第一の能力情報と、前記ユーザ装置が、前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す第二の能力情報と、前記ユーザ装置が、前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す第三の能力情報と、を受信する受信部と、前記バンド組み合わせ情報と、前記第一の能力情報と、前記第二の能力情報と、前記第三の能力情報とに基づいて、前記ユーザ装置に対して前記キャリアアグリゲーションの設定を行う設定部と、を有する基地局が提供される。この基地局ｅＮＢにより、第一の複信方式のバンドと第二の複信方式のバンドを用いてキャリアアグリゲーションを行う無線通信システムにおいて、ユーザ装置が基地局に対して、自身のＣＡに関する能力を効率的に通知することが可能な技術が提供される。
【０１１５】
また、実施の形態によれば、第一の複信方式のバンドと第二の複信方式のバンドを用いてキャリアアグリゲーションを行う無線通信システムにおけるユーザ装置が実行する通知方法であって、当該ユーザ装置における前記キャリアアグリゲーションで使用可能なバンドの組み合わせを示すバンド組み合わせ情報と、当該ユーザ装置が、前記キャリアアグリゲーションにおいて、上り制御チャネルを設定するセカンダリセルを設定可能か否かを示す第一の能力情報と、当該ユーザ装置が、前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す第二の能力情報と、当該ユーザ装置が、前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す第三の能力情報と、を生成するステップと、前記バンド組み合わせ情報と前記第一の能力情報と前記第二の能力情報と前記第三の能力情報とを基地局に送信するステップと、を有する通知方法が提供される。この通知方法により、第一の複信方式のバンドと第二の複信方式のバンドを用いてキャリアアグリゲーションを行う無線通信システムにおいて、ユーザ装置が基地局に対して、自身のＣＡに関する能力を効率的に通知することが可能な技術が提供される。
【０１１６】
また、実施の形態によれば、第一の複信方式のバンドと第二の複信方式のバンドを用いてキャリアアグリゲーションを行う無線通信システムにおける基地局が実行する設定方法であって、ユーザ装置から、前記ユーザ装置が前記キャリアアグリゲーションで使用可能なバンドの組み合わせを示すバンド組み合わせ情報と、前記ユーザ装置が、前記キャリアアグリゲーションにおいて、上り制御チャネルを設定するセカンダリセルを設定可能か否かを示す第一の能力情報と、前記ユーザ装置が、前記第一の複信方式のバンドを用いてプライマリセルを設定可能か否か及び前記第一の複信方式のバンドと前記第二の複信方式のバンドとを含む所定のグループにおいて前記第一の複信方式のバンドを用いて上り制御チャネルを設定するセカンダリセルを設定可能か否かを示す第二の能力情報と、前記ユーザ装置が、前記第二の複信方式のバンドを用いてプライマリセルを設定可能か否か及び前記第一の複信方式のバンドと前記第二の複信方式のバンドとを含む所定のグループにおいて前記第二の複信方式のバンドを用いて上り制御チャネルを設定するセカンダリセルを設定可能か否かを示す第三の能力情報と、を受信するステップと、前記バンド組み合わせ情報と、前記第一の能力情報と、前記第二の能力情報と、前記第三の能力情報とに基づいて、前記ユーザ装置に対して前記キャリアアグリゲーションの設定を行うステップと、を有する設定方法が提供される。この設定方法により、第一の複信方式のバンドと第二の複信方式のバンドを用いてキャリアアグリゲーションを行う無線通信システムにおいて、ユーザ装置が基地局に対して、自身のＣＡに関する能力を効率的に通知することが可能な技術が提供される。
【０１１７】
＜実施形態の補足＞
本実施の形態におけるＰＵＣＣＨグループの概念はＤＣに適用することが可能である。この場合、ＭＣＧ内（ＳＣＧ内）にプライマリＰＵＣＣＨグループ及びセカンダリＰＵＣＣＨグループが設定される。
【０１１８】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１１９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１２０】
なお、実施の形態において、ＵＥ能力情報通知制御部１０４は、生成部の一例である。ＵＬ信号送信部１０２は、送信部の一例である。ＣＡバンドコンビネーション情報は、バンド組み合わせ情報の一例である。ＰＵＣＣＨは、上り制御チャネルの一例である。ＰＵＣＣＨグループは、所定のグループの一例である。「ＰＵＣＣＨ  ＳＣｅｌｌ  Ｃａｐａｂｉｌｉｔｙ」は、第一の能力情報の一例である。「ＴＤＤ−ＦＤＤ  ＰＣｅｌｌ  Ｃａｐａｂｉｌｉｔｙ」のうち「ＦＤＤ  ＰＣｅｌｌ」又は「ＴＤＤ  ＰＣｅｌｌ」は、第二の能力情報又は第三の能力情報の一例である。ＵＬ信号受信部２０２は、受信部の一例である。
【符号の説明】
【０１２１】
ＵＥ  ユーザ装置
ｅＮＢ  基地局
１０１  ＤＬ信号受信部
１０２  ＵＬ信号送信部
１０３  ＵＥ能力情報格納部
１０４  ＵＥ能力情報通知制御部
１０５  ＣＡ制御部
１０６  取得部
２０１  ＤＬ信号送信部
２０２  ＵＬ信号受信部
２０３  ＵＥ能力情報格納部
２０４  ＣＡ設定部
３０１  ＲＥモジュール
３０２  ＢＢ処理モジュール
３０３  装置制御モジュール
３０４  ＳＩＭスロット
４０１  ＲＥモジュール
４０２  ＢＢ処理モジュール
４０３  装置制御モジュール
４０４  通信ＩＦ
【図１】
2017092827.tif 000003
【図２】
2017092827.tif 000004
【図３】
2017092827.tif 000005
【図４】
2017092827.tif 000006
【図５】
2017092827.tif 000007
【図６】
2017092827.tif 000008
【図７】
2017092827.tif 000009
【図８】
2017092827.tif 000010
【図９】
2017092827.tif 000011
【図１０】
2017092827.tif 000012
【図１１】
2017092827.tif 000013
【図１２】
2017092827.tif 000014
【図１３】
2017092827.tif 000015
【図１４】
2017092827.tif 000016
【図１５】
2017092827.tif 000017
【図１６】
2017092827.tif 000018
【図１７】
2017092827.tif 000019
【図１８】
2017092827.tif 000020